(57)【要約】      （修正有）【課題】扱室内の穀粒が入口プレートを伝って外部に漏れ出難い脱穀装置を提供する。【解決手段】フィードチェーンによって後方に挟持搬送される刈取穀稈Ｓを、扱室内で脱穀処理する脱穀装置であって、脱穀装置の前壁１７に形成された穀稈入口１８と、穀稈入口の下部に設けられると共に、刈取穀稈を穀稈入口に向けて案内する入口プレート２２と、穀稈入口を覆う弾性変形可能なカバー２３と、入口プレートのうち穀稈入口に対応する前後位置の箇所に設けられると共に、扱室内の穀粒Ｇが外部に漏れ出るのを堰き止める堰き止め部２４が備えられている。【選択図】図３
2019110770.tif 000002
【特許請求の範囲】
【請求項１】
フィードチェーンによって後方に挟持搬送される刈取穀稈を、扱室内で脱穀処理する脱穀装置であって、
脱穀装置の前壁に形成された穀稈入口と、
前記穀稈入口の下部に設けられると共に、刈取穀稈を前記穀稈入口に向けて案内する入口プレートと、
前記穀稈入口を覆う弾性変形可能なカバーと、
前記入口プレートのうち前記穀稈入口に対応する前後位置の箇所に設けられると共に、前記扱室内の穀粒が外部に漏れ出るのを堰き止める堰き止め部と、が備えられている脱穀装置。
【請求項２】
前記堰き止め部は、前記入口プレートから立ち上がる立ち上がり部を有している請求項１に記載の脱穀装置。
【請求項３】
前記堰き止め部は、前記立ち上がり部の上端部から前下がりの傾斜状に延びる傾斜部を有している請求項２に記載の脱穀装置。
【請求項４】
前記堰き止め部は、前記脱穀装置の前面よりも後側に設けられている請求項１から３の何れか一項に記載の脱穀装置。
【請求項５】
前記堰き止め部は、前記入口プレートのうち横幅方向で前記フィードチェーンが位置する側の箇所に設けられている請求項１から４の何れか一項に記載の脱穀装置。
【請求項６】
前記堰き止め部は、前記入口プレートにおける横幅方向の全長に亘って設けられている請求項１から４の何れか一項に記載の脱穀装置。
【発明の詳細な説明】
【技術分野】
【０００１】
本発明は、フィードチェーンによって後方に挟持搬送される刈取穀稈を、扱室内で脱穀処理する脱穀装置に関する。
【背景技術】
【０００２】
上記のような脱穀装置として、例えば、特許文献１に記載の脱穀装置が既に知られている。特許文献１には、フィードチェーン（文献では「フィードチェーン〔９〕」）によって後方に挟持搬送される刈取穀稈を、扱室（文献では「扱室〔５〕」）内で脱穀処理する脱穀装置（文献では「脱穀装置〔１〕」）が開示されている。当該脱穀装置には、脱穀装置の前壁（文献では「前壁〔２２〕」）に形成された穀稈入口（文献では「穀稈供給口〔２６〕」）と、穀稈入口の下部に設けられると共に、刈取穀稈を穀稈入口に向けて案内する入口プレートと、穀稈入口を覆う弾性変形可能なカバー（文献では「ハンプ〔３１〕」）と、が備えられている。
【先行技術文献】
【特許文献】
【０００３】
【特許文献１】特開２０１１−８７５１６号公報
【発明の概要】
【発明が解決しようとする課題】
【０００４】
特許文献１に記載の脱穀装置では、刈取穀稈が穀稈入口を通過する際にカバーに接触してカバーがめくれ上がることになるが、そうすると、扱室内の穀粒がカバーと入口プレートとの隙間から入口プレートを伝って外部に漏れ出ることになり易い。
【０００５】
上記状況に鑑み、扱室内の穀粒が入口プレートを伝って外部に漏れ出難い脱穀装置が要望されている。
【課題を解決するための手段】
【０００６】
本発明の特徴は、
フィードチェーンによって後方に挟持搬送される刈取穀稈を、扱室内で脱穀処理する脱穀装置であって、
脱穀装置の前壁に形成された穀稈入口と、
前記穀稈入口の下部に設けられると共に、刈取穀稈を前記穀稈入口に向けて案内する入口プレートと、
前記穀稈入口を覆う弾性変形可能なカバーと、
前記入口プレートのうち前記穀稈入口に対応する前後位置の箇所に設けられると共に、前記扱室内の穀粒が外部に漏れ出るのを堰き止める堰き止め部と、が備えられていることにある。
【０００７】
本特徴構成によれば、扱室内の穀粒が入口プレートを伝って外部に漏れ出ようとしても、堰き止め部によって堰き止められることになる。これにより、扱室内の穀粒が入口プレートを伝って外部に漏れ出難い。
【０００８】
さらに、本発明において、
前記堰き止め部は、前記入口プレートから立ち上がる立ち上がり部を有していると好適である。
【０００９】
本特徴構成によれば、扱室内の穀粒が入口プレートを伝って外部に漏れ出ようとしても、立ち上がり部によって阻まれることになる。これにより、扱室内の穀粒を入口プレートを伝って外部に漏れ出ないように確実に堰き止めることができる。
【００１０】
さらに、本発明において、
前記堰き止め部は、前記立ち上がり部の上端部から前下がりの傾斜状に延びる傾斜部を有していると好適である。
【００１１】
本特徴構成によれば、刈取穀稈が傾斜部の傾斜に沿って後方に流れるため、堰き止め部が刈取穀稈の搬送に悪影響を及ぼすことがない。
【００１２】
さらに、本発明において、
前記堰き止め部は、前記脱穀装置の前面よりも後側に設けられていると好適である。
【００１３】
本特徴構成によれば、扱室内の穀粒が堰き止め部によってできるだけ扱室の内部側で堰き止められることになる。これにより、扱室内の穀粒が入口プレートを伝って外部により漏れ出難い。
【００１４】
さらに、本発明において、
前記堰き止め部は、前記入口プレートのうち横幅方向で前記フィードチェーンが位置する側の箇所に設けられていると好適である。
【００１５】
刈取穀稈がフィードチェーンによって挟持搬送される際、刈取穀稈のうち株元側の部分が強く挟持されている関係上、刈取穀稈のうち株元側の部分と入口プレートとの間に隙間が生じることになり易い。このため、入口プレートのうち横幅方向でフィードチェーンが位置する側とは反対側の箇所における入口プレート上の穀粒は、搬送中の刈取穀稈のうち穂先側の部分によって扱室の内部側に掃き戻され易い一方、入口プレートのうち横幅方向でフィードチェーンが位置する側の箇所における入口プレート上の穀粒は、搬送中の刈取穀稈のうち株元側の部分によって扱室の内部側に掃き戻されずに、入口プレート上に残ったままとなり、入口プレートを伝って外部に漏れ出ることになり易い。
【００１６】
しかし、本特徴構成によれば、入口プレートを伝って外部に漏れ出ることになり易い、入口プレートのうち横幅方向でフィードチェーンが位置する側の箇所における入口プレート上の穀粒を、入口プレートを伝って外部に漏れ出ないように堰き止めることができる。
【００１７】
さらに、本発明において、
前記堰き止め部は、前記入口プレートにおける横幅方向の全長に亘って設けられていると好適である。
ここで、「横幅方向の全長」とは、「横幅方向の略全長」を含むものである。
【００１８】
本特徴構成によれば、扱室内の穀粒が入口プレートを伝って外部に漏れ出るのを堰き止め部によって、入口プレートにおける横幅方向の全長に亘って堰き止めることができる。
【図面の簡単な説明】
【００１９】
【図１】脱穀装置を示す左側面断面図である。
【図２】脱穀装置を示す正面図である。
【図３】脱穀装置の前部を示す左側面断面図である。
【図４】入口プレート及び堰き止め部を示す分解斜視図である。
【発明を実施するための形態】
【００２０】
本発明を実施するための形態について、図面に基づき説明する。
【００２１】
〔脱穀装置の全体構成〕
図１には、脱穀装置を示している。脱穀装置の左側部には、刈取穀稈を挟持搬送するフィードチェーンＦが設けられている。脱穀装置は、フィードチェーンＦによって後方に挟持搬送される刈取穀稈を、扱室１内で脱穀処理する。脱穀装置の上部には、扱室１が形成されている。扱室１には、扱胴２が機体前後方向に延びる回転軸心Ｙ１周りで回転可能に設けられている。扱胴２の下方には、受網３が設けられている。扱胴２の後方には、分離ドラム４が設けられている。分離ドラム４は、拡散胴であり、選別対象物を解してこれに含まれる単粒化穀粒等の流下を促進する。分離ドラム４の後方には、塵埃を外部に排出する排塵ファン５が設けられている。
【００２２】
脱穀装置の下部には、選別対象物を揺動選別する揺動選別装置６や、揺動選別装置６における下部側の選別領域（精選別領域）に選別風を送風する主唐箕７、揺動選別装置６における上部側の選別領域（粗選別領域）に選別風を送風する第一副唐箕８、揺動選別装置６における後部側の選別領域に選別風を送風する第二副唐箕９、一番物の穀粒（単粒化穀粒等）を回収する一番回収部１０、二番物の穀粒（枝梗付き穀粒等）を回収する二番回収部１１が設けられている。
【００２３】
一番回収部１０には、一番物の穀粒を右方へ搬送する一番スクリュ１２が設けられている。一番スクリュ１２の右端部には、一番物の穀粒を穀粒貯留タンク（図示省略）に揚穀搬送する揚穀装置１３が連動連結されている。二番回収部１１には、二番物の穀粒を右方へ搬送する二番スクリュ１４が設けられている。二番スクリュ１４の右端部には、二番物の穀粒を揺動選別装置６に還元する二番還元装置１５が連動連結されている。
【００２４】
図２及び図３に示すように、脱穀装置の左側部には、刈取穀稈が通過する扱口１６が形成されている。脱穀装置の前壁１７には、刈取穀稈が導入される穀稈入口１８が形成されている。脱穀装置の前壁１７からは、扱胴軸２ａが前方に突出しており、扱胴軸２ａのうち前方に突出している部分には、入力プーリ１９が設けられている。入力プーリ１９及び出力プーリ（図示省略）等には、動力伝達用の伝動ベルト２０が巻回されている。脱穀装置の前壁１７には、入力プーリ１９や伝動ベルト２０を覆うベルトカバー２１が取り付けられている。
【００２５】
穀稈入口１８の下部には、刈取穀稈を穀稈入口１８に向けて案内する入口プレート２２が設けられている。入口プレート２２には、円弧面部２２ａと、入口プレート２２の左縁部側において、左下がりに傾斜する第一傾斜面部２２ｂと、入口プレート２２の左縁部側において、前下がりに傾斜する第二傾斜面部２２ｃと、入口プレート２２の後縁部において、穀稈入口１８の下部に取り付けられる取り付け部２２ｄと、が形成されている。
【００２６】
穀稈入口１８を覆う弾性変形可能なカバー２３が設けられている。カバー２３は、例えば、ゴム製の部材であり、ベルトカバー２１の前面２１ａにボルト固定されている。
【００２７】
〔堰き止め部〕
図２から図４に示すように、扱室１内の穀粒が外部に漏れ出るのを堰き止める堰き止め部２４が設けられている。堰き止め部２４は、入口プレート２２のうち穀稈入口１８に対応する前後位置の箇所に設けられる。具体的には、堰き止め部２４は、脱穀装置の前面（ベルトカバー２１の前面２１ａ）よりも後側で、かつ、脱穀装置の前壁１７よりも前側に設けられている。言い換えると、堰き止め部２４は、ベルトカバー２１の下方において、ベルトカバー２１の厚み（機体前後方向の長さ）範囲内に位置している。堰き止め部２４は、入口プレート２２のうち横幅方向でフィードチェーンＦが位置する側の箇所（左側の箇所）に設けられている。堰き止め部２４は、その左端部がカバー２３の左端よりも左側に位置するように配置されている。
【００２８】
堰き止め部２４は、立ち上がり部２４ａと、傾斜部２４ｂと、底部２４ｃと、を備えている。堰き止め部２４は、板状部材が折り曲げられて構成されている。堰き止め部２４は、着脱可能なように、入口プレート２２のうち第二傾斜面部２２ｃにボルト固定されている。
【００２９】
立ち上がり部２４ａは、入口プレート２２から立ち上がる部分であり、側面視で前上がりに傾斜している。立ち上がり部２４ａは、第二傾斜面部２２ｃに対して略直角（立ち上がり部２４ａと第二傾斜面部２２ｃとが成す角度αが略９０度）となるように構成されている。傾斜部２４ｂは、立ち上がり部２４ａの上端部から前下がりの傾斜状に延びる部分である。傾斜部２４ｂには、入口プレート２２の凹凸形状に沿うように、切り欠き部２４ｄが形成されている。傾斜部２４ｂの前端部に連続して、入口プレート２２（第二傾斜面部２２ｃ）に沿うように傾斜部２４ｂに対して折れ曲がる折れ曲り部２４ｅが形成されている。
【００３０】
底部２４ｃには、入口プレート２２に固定するためのボルト２５が設けられている。ボルト２５は、入口プレート２２に対して裏側からナット２６によって固定されている。ボルト２５が露出しないように、ボルト２５が傾斜部２４ｂによって上方から覆われている。
【００３１】
図２及び図３に示すように、刈取穀稈Ｓが穀稈入口１８を通過する際にカバー２３に接触してカバー２３がめくれ上がることになる。しかし、扱室１内の穀粒Ｇが入口プレート２２を伝って外部に漏れ出ようとしても、堰き止め部２４（立ち上がり部２４ａ）によって堰き止められることになる。これにより、扱室１内の穀粒Ｇが入口プレート２２を伝って外部に漏れ出難い。
【００３２】
ここで、刈取穀稈ＳがフィードチェーンＦによって挟持搬送される際、刈取穀稈Ｓのうち株元側の部分が強く挟持されている関係上、刈取穀稈Ｓのうち株元側の部分と入口プレート２２との間に隙間が生じることになり易い。このため、入口プレート２２のうち横幅方向でフィードチェーンＦが位置する側とは反対側の箇所（右側の箇所）における入口プレート２２上の穀粒は、搬送中の刈取穀稈Ｓのうち穂先側の部分によって扱室１の内部側に掃き戻され易い一方、入口プレート２２のうち横幅方向でフィードチェーンＦが位置する側の箇所（左側の箇所）における入口プレート２２上の穀粒は、搬送中の刈取穀稈Ｓのうち株元側の部分によって扱室１の内部側に掃き戻されずに、入口プレート２２上に残ったままとなり、入口プレート２２を伝って外部に漏れ出ることになり易い。
【００３３】
しかし、本実施形態に係る構成によれば、入口プレート２２を伝って外部に漏れ出ることになり易い、入口プレート２２のうち横幅方向でフィードチェーンが位置する側の箇所（左側の箇所）における入口プレート２２上の穀粒Ｇを、入口プレート２２を伝って外部に漏れ出ないように堰き止めることができる。
【００３４】
〔別実施形態〕
（１）上記実施形態では、堰き止め部２４は、傾斜部２４ｂを備えているが、傾斜部２４ｂが備えられていなくてもよい。すなわち、堰き止め部２４は、少なくとも、立ち上がり部２４ａを備えていればよい。
【００３５】
（２）上記実施形態では、堰き止め部２４は、入口プレート２２とは別部材であるが、入口プレート２２と一体成形されていてもよい。
【００３６】
（３）上記実施形態では、堰き止め部２４は、脱穀装置の前面（上記実施形態では、ベルトカバー２１の前面２１ａ）よりも後側に設けられているが、脱穀装置の前面よりも前側に設けられていてもよいし、あるいは、脱穀装置の前面と同じ前後位置に設けられていてもよい。
【００３７】
（４）上記実施形態では、堰き止め部２４は、入口プレート２２のうち横幅方向でフィードチェーンＦが位置する側の箇所に設けられているが、入口プレート２２における横幅方向の全長に亘って設けられていてもよい。
【産業上の利用可能性】
【００３８】
本発明は、コンバイン（例えば、自脱型コンバイン）に利用可能である。
【符号の説明】
【００３９】
１  扱室
１７  脱穀装置の前壁
１８  穀稈入口
２１ａ  ベルトカバーの前面（脱穀装置の前面）
２２  入口プレート
２３  カバー
２４  堰き止め部
２４ａ  立ち上がり部
２４ｂ  傾斜部
Ｆ  フィードチェーン
Ｇ  穀粒
【図１】
2019110770.tif 000003
【図２】
2019110770.tif 000004
【図３】
2019110770.tif 000005
【図４】
2019110770.tif 000006